【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
画像が印刷された用紙が排紙される複数の排紙先を有する画像形成装置であって、
原稿を給送する原稿給送手段と、
前記原稿給送手段に載置される原稿を検知する原稿検知手段と、
前記原稿給送手段により給送される原稿の画像を読み取る読取手段と、
前記読取手段により読み取られた原稿の画像を用紙に印刷する印刷手段と、
前記印刷手段により画像が印刷された用紙を仕分けのためにシフトするシフト機能を、前記原稿検知手段による原稿検知に応じて、自動的に有効にするか否かをユーザ指示に基づいて設定する設定手段と、
前記設定手段により前記シフト機能を有効にすることが設定されていない場合、前記原稿検知手段が原稿を検知しても前記シフト機能を自動的に有効にはせず、前記設定手段により前記シフト機能が有効に設定されている場合、前記原稿検知手段による原稿検知に応じて前記シフト機能を有効に設定し、用紙をシフトすることができる排紙先の中から優先順序に従って用紙の排紙先を決定する制御手段と、
を備えることを特徴とする画像形成装置。
【請求項２】
更に、前記排紙先の優先順序をユーザ指示に基づいて設定する優先順序設定手段を備えることを特徴とする請求項１記載の画像形成装置。
【請求項３】
前記優先順序設定手段は、原稿の画像を用紙に印刷するコピー機能と外部から受信したデータを用紙に印刷するプリント機能とのそれぞれに対して個別に前記排紙先の優先順序を設定することを特徴とする請求項２記載の画像形成装置。
【請求項４】
画像が印刷された用紙が排紙される複数の排紙先を有する画像形成装置であって、
原稿の画像を読み取る読取手段と、
前記読取手段により読み取られた画像を用紙に印刷する印刷手段と、
前記複数の排紙先の使用の優先順序を設定する優先順序設定手段と、
前記印刷手段により画像が印刷された用紙を仕分けのためにシフトするシフト機能を実行することを設定するシフト機能設定手段と、
前記複数の排紙先の中で前記シフト機能を実行可能な排紙先の情報を記憶する記憶手段と、
前記シフト機能設定手段により前記シフト機能を実行することが設定されている場合、前記優先順序設定手段により設定された優先順序よりも前記記憶手段に記憶された情報に基づく優先度で用紙の排紙先を決定し、前記シフト機能設定手段により前記シフト機能を実行することが設定されていない場合、前記記憶手段に記憶された情報よりも前記優先順序設定手段により設定された優先順序に基づく優先度で用紙の排紙先を決定する制御手段と、
を備えることを特徴とする画像形成装置。
【請求項５】
前記読取手段により読み取るべき原稿を給送する原稿給送手段と、
前記原稿給送手段に載置される原稿を検知する原稿検知手段と、
前記シフト機能を自動設定することを示す自動設定フラグを設定する自動設定手段と、
を更に備え、前記シフト機能設定手段は、前記自動設定手段により前記自動設定フラグが設定されており、且つ前記原稿検知手段が原稿を検知すると、前記シフト機能を実行することを設定することを特徴とする請求項４記載の画像形成装置。
【請求項６】
前記複数の排紙先から用紙の排紙先を手動選択するための排紙先選択手段を有し、
前記制御手段は、前記排紙先選択手段により排紙先が選択されている場合、前記シフト機能設定手段の設定及び前記優先順序設定手段による設定に拘わらず、前記排紙先選択手段により選択された排紙先に用紙を排紙することを決定することを特徴とする請求項４又は５に記載の画像形成装置。
【請求項７】
前記制御手段は、前記シフト機能設定手段により前記シフト機能を実行することが設定されている場合、前記シフト機能を実行可能な排紙先の中で最も優先順位の高い排紙先に用紙を排紙することを決定し、前記シフト機能設定手段により前記シフト機能を実行することが設定されていない場合、最も優先順位の高い排紙先に用紙を排紙することを決定することを特徴とする請求項４乃至６の何れか１項に記載の画像形成装置。
【請求項８】
前記シフト機能設定手段は、ユーザ指示に基づいて前記シフト機能を実行することを設定することを特徴とする請求項４記載の画像形成装置。
【請求項９】
原稿給送装置で給送される原稿の画像を用紙に形成し、用紙が排紙される複数の排紙先を有する画像形成装置の制御方法であって、
原稿給送装置により原稿を給送する原稿給送工程と、
前記原稿給送装置により給送される原稿の画像を読み取る読取工程と、
読み取られた原稿の画像を用紙に印刷する印刷工程と、
画像が印刷された用紙を仕分けのためにシフトするシフト機能を、前記原稿給送装置に原稿が載置されることに応じて、自動的に有効にするか否かをユーザ指示に基づいて設定する設定工程と、
前記設定工程で前記シフト機能を有効にすることが設定されていない場合、前記原稿給送装置に原稿が載置されても前記シフト機能を自動的に有効にはせず、前記設定工程で前記シフト機能が有効に設定されている場合、前記原稿給送装置に原稿が載置されることに応じて前記シフト機能を有効に設定するよう制御する制御工程と、
前記シフト機能を有効に設定した場合、用紙をシフトすることができる排紙先の中から優先順序に従って用紙の排紙先を決定する決定工程と、
を有することを特徴とする画像形成装置の制御方法。
【請求項１０】
原稿給送装置で給送される原稿の画像を用紙に形成し、用紙が排紙される複数の排紙先を有する画像形成装置の制御方法であって、
前記原稿給送装置により給送される原稿の画像を読み取る読取工程と、
読み取られた画像を用紙に印刷する印刷工程と、
前記複数の排紙先の使用の優先順序を設定する優先順序設定工程と、
画像が印刷された用紙を仕分けのためにシフトするシフト機能を実行することを設定するシフト機能設定工程と、
前記シフト機能設定工程で前記シフト機能を実行することが設定されている場合、前記優先順序設定工程で設定された優先順序よりも前記複数の排紙先の中で前記シフト機能を実行可能な排紙先の情報に基づく優先度で用紙の排紙先を決定し、前記シフト機能設定工程で前記シフト機能を実行することが設定されていない場合、前記複数の排紙先の中で前記シフト機能を実行可能な排紙先の情報よりも前記優先順序設定工程で設定された優先順序に基づく優先度で用紙の排紙先を決定する決定工程と、
を有することを特徴とする画像形成装置の制御方法。
【請求項１１】
請求項９又は１０に記載の制御方法をコンピュータに実行させるためのコンピュータ読取可能なプログラム。
【手続補正２】
【補正対象書類名】明細書
【補正対象項目名】０００８
【補正方法】変更
【補正の内容】
【０００８】
本発明は、画像が印刷された用紙が排紙される複数の排紙先を有する画像形成装置であって、原稿を給送する原稿給送手段と、前記原稿給送手段に載置される原稿を検知する原稿検知手段と、前記原稿給送手段により給送される原稿の画像を読み取る読取手段と、前記読取手段により読み取られた原稿の画像を用紙に印刷する印刷手段と、前記印刷手段により画像が印刷された用紙を仕分けのためにシフトするシフト機能を、前記原稿検知手段による原稿検知に応じて、自動的に有効にするか否かをユーザ指示に基づいて設定する設定手段と、前記設定手段により前記シフト機能を有効にすることが設定されていない場合、前記原稿検知手段が原稿を検知しても前記シフト機能を自動的に有効にはせず、前記設定手段により前記シフト機能が有効に設定されている場合、前記原稿検知手段による原稿検知に応じて前記シフト機能を有効に設定し、用紙をシフトすることができる排紙先の中から優先順序に従って用紙の排紙先を決定する制御手段と、を備えることを特徴とする。